(57)【要約】【課題】  例えば、腕周りや踝の周りなどの身体の被装着箇所にしっかりと装着できる共に、快適な装着感を得られる装身具を提供することを目的としている。【解決手段】  板バネ体１と、自由駒３と、係止駒２ａ，２ｂとを備えており、板バネ体１は、身体の被装着箇所Ｈの周囲に沿って略Ｃ字形に湾曲し且つ弾性を有するものであり、板バネ体１の周方向の両端部Ｐ，Ｑには、ガイド部１０ａ，１０ｂを有しており、自由駒３は、板バネ体１の周方向に沿って移動自在に嵌挿し、係止駒２ａ，２ｂは、板バネ体１のガイド部１０ａ，１０ｂに係合する係合部７ａ，７ｂを有し、ガイド部１０ａ，１０ｂの範囲内で板バネ体１の周方向のスライド、およびガイド部１０ａ，１０ｂを中心とした揺動を可能にしていることを特徴とする。【選択図】      図１
2008167789.tif 000002
【特許請求の範囲】
【請求項１】
板バネ体（１）と、自由駒（３）と、係止駒（２ａ，２ｂ）とを備えており、
板バネ体（１）は、身体の被装着箇所（Ｈ）の周囲に沿って略Ｃ字形に湾曲し且つ弾性を有し、周方向の両端部（Ｐ，Ｑ）にガイド部（１０ａ，１０ｂ）を有しており、
自由駒（３）は板バネ体（１）の周方向に沿って移動自在に嵌挿し、
係止駒（２ａ，２ｂ）は板バネ体（１）のガイド部（１０ａ，１０ｂ）に係合する係合部（７ａ，７ｂ）を有し、ガイド部（１０ａ，１０ｂ）の範囲内で板バネ体（１）の周方向へのスライド、およびガイド部（１０ａ，１０ｂ）を中心とした揺動を可能となることを特徴とする装身具。
【請求項２】
板バネ体（１）と、自由駒（３）と、係止駒（２ａ，２ｂ）とを備えており、
板バネ体（１）は、身体の被装着箇所（Ｈ）の周囲に沿って略Ｃ字形に湾曲し且つ弾性を有し、周方向の両端部（Ｐ，Ｑ）に取付部（１３ａ，１３ｂ）を有しており、
自由駒（３）は板バネ体（１）の周方向に沿って移動自在に嵌挿し、
係止駒（２ａ，２ｂ）は板バネ体（１）の取付部（１３ａ，１３ｂ）に係合する係合部（１４ａ，１４ｂ）を有し、係合部（１４ａ，１４ｂ）にて係止駒（２ａ，２ｂ）を移動不能に保持していることを特徴とする装身具。
【発明の詳細な説明】
【技術分野】
【０００１】
本発明は、例えばブレスレットや時計バンド、アンクレット、カチューシャ等に代表される装身具に関するものである。
【背景技術】
【０００２】
例えば、ブレスレットやアンクレット等に代表される略リング状に形作られた装身具は、使用者の腕周りや踝周りを採寸し、その採寸寸法に適応したサイズに形成するのが一般的であった。また所定の範囲内であれば、使用者の腕周りや踝周りのサイズの違いに対応できるように、例えば特開平１０−１１７８１７号公報のような、板ばねを曲げ加工して装身具の全体をＣ字形に形成し、このＣ字形のスリット部分を拡げて腕や足首を入れると共に、板ばねの弾性を利用して腕や踝に嵌めるものある。
【特許文献１】特開平１０−１１７８１７号公報
【発明の開示】
【発明が解決しようとする課題】
【０００３】
しかしながら、前述したような板ばねの弾性を利用して腕や踝に嵌めるものでは、スリット部分によって装身具の端部同士が離れているために、装着したときに腕や踝から不意に外れることがあった。更に、Ｃ字形に連続したものでなければ腕周りや踝周りに嵌めることができないため、意匠面での制限があり、この結果、購入者が装身具を選択するときの重要な要素となる意匠面でのデメリットを有していた。
【０００４】
本発明は、以上のような課題を鑑みてなされたものであり、例えば、腕周りや踝の周りなどの身体の被装着箇所にしっかりと装着できる共に、快適な装着感を得られる装身具を提供することを目的としている。
【課題を解決するための手段】
【０００５】
本発明装身具のうち請求項１は、板バネ体と、自由駒と、係止駒とを備えており、板バネ体は、身体の被装着箇所の周囲に沿って略Ｃ字形に湾曲し且つ弾性を有し、周方向の両端部にガイド部を有しており、自由駒は板バネ体の周方向に沿って移動自在に嵌挿し、係止駒は板バネ体のガイド部に係合する係合部を有し、ガイド部の範囲内で板バネ体の周方向へのスライド、およびガイド部を中心とした揺動が可能となることを特徴とする。
【０００６】
ここで身体の被装着箇所とは、この種の装身具の装着が通常想定される例えば、腕周りや踝の周り、その他頭部の周りなどが挙げられる。係止駒や自由駒の大きさや形状については、身体の被装着箇所に装着したときに、使用上不都合のないものであれば特に限定しない。ガイド部と係合部は、板バネ体の周方向の一方側端部および他方側端部の各々から係止駒をスライド、および揺動するものであればよく、具体的には、長孔にネジやピンを差し込み、長孔の開口範囲内にてネジやピンを移動可能にするものや、凹状をなすレール溝にローラが走行するものなどが挙げられる。
【０００７】
本発明装身具のうち請求項２は、板バネ体と、自由駒と、係止駒とを備えており、板バネ体は身体の被装着箇所の周囲に沿って略Ｃ字形に湾曲し且つ弾性を有し、周方向の両端部に取付部を有しており、自由駒は板バネ体の周方向に沿って移動自在に嵌挿し、係止駒は板バネ体の取付部に係合する係合部を有し、係合部にて係止駒を移動不能に保持していることを特徴とする。
ここで取付部は具体的に、径の小さな貫通孔にネジを強く螺合したものや、貫通案にリベットを加締めるものなどが挙げられる。
【発明の効果】
【０００８】
本発明の装身具によれば、板バネ体が弾性を有することで、体型の異なる様々な使用者が装着できると共に、板バネ体の周方向の両端部に設けた係止駒同士が当接することにより、装身具が身体の被装着箇所にしっかりと装着されることになる。しかも、身体の被装着箇所の筋肉の動きに応じ、板バネ体の周方向の中間に配した各自由駒が、板バネ体の周方向の両端部に設けた係止駒間を自在に移動するので、この種の装身具に従来あった拘束感を感じることなく、快適に身につけることができる。
更に請求項１記載の発明によれば、板バネ体の周方向の両端部に係合する係止駒が各々スライド／揺動するものであるから、装身具の装着を手軽に行なえばかりか、身体の動き（筋肉の動き）に合わせて動くので、違和感がない。
【発明を実施するための最良の形態】
【０００９】
本発明の装身具の具体的な実施形態を以下に説明する。
【００１０】
本発明装身具の最良形態を図１に基づき説明すれば、（ａ）はブレスレットの装着直前の状態を示す断面図であり、（ｂ）は、板バネ体１の周方向の両端部（Ｐ，Ｑ）のうち、一方側端部Ｐに係合する係止駒２ａと、他方側端部Ｑに係合する係止駒２ｂとを係止した状態を示す断面図である。
最良形態の装身具は、腕周りＨに沿ってＣ字形に湾曲した板バネ体１に、係止駒２ａ，２ｂと複数の自由駒３とを取付けてあるもので、板バネ体１の周方向の中間位置に取付ける自由駒３は、板バネ体１の周方向に移動自在に取付けてある。そして、板バネ体１の周方向の一方側端部Ｐと他方側端部Ｑに係合する係止駒２ａ，２ｂは、板バネ体１の一方側端部Ｐおよび他方側端部Ｑから揺動自在に保持してあると共に、両係止駒２ａ，２ｂが相互に当接したときには、装身具全体がリング状に連続するように形成したものである（図１（ｂ）参照）。
【００１１】
板バネ体１は、図１（ａ）（ｂ）および図３（ａ）に示すように、帯状をなす金属板を略Ｃ字形に曲げ加工したものであり、板バネ体１の周方向の一方側端部Ｐと他方側端部Ｑの二箇所には、周方向に長い長孔１０ａ，１０ｂを設けてある（長孔１０ａ，１０ｂの形状については図４（ｂ）参照）。
【００１２】
係止駒２ａ，２ｂおよび自由駒３は、図２（ａ）に示すように、前述した板バネ体１の一方側端部Ｐおよび他方側端部Ｑに係合する係止駒２ａ，２ｂと、図２（ｃ）のように、板バネ体１の周方向の中間に取付ける複数の自由駒３との二種がある。
係止駒２ａ，２ｂは、平面視して略長方形のブロック状をなすものであり、一方側端部Ｐと他方側端部Ｑに係合するものについては、共通した態様ものを使用する。係止駒２ａ，２ｂにおける図示（図２（ａ））を基準とする底部寄りの箇所には、板バネ体１の周方向の一方側端部Ｐまたは他方側端部Ｑを差し込みできる差込穴４が設けてあり、この差込穴４は、係止駒２ａ，２ｂの一側面に開口していると共に、係止駒２ａ，２ｂ内部の途中まで水平方向に伸びている。そして差込穴４の穴開口５は、差込穴４の穴奥側の孔径よりも拡がっており、板バネ体１の一方側端部Ｐもしくは他方側端部Ｑを受け入れやすくなっている。また、係止駒２ａ，２ｂの差込穴４と交差する方向にはネジ穴６を設けており、このネジ穴６にネジ７ａ，７ｂを入れて差込穴４に挿入した板バネ体１の長孔１０ａ，１０ｂに対して通すことで、係止駒２ａ，２ｂを板バネ体１の一方側端部Ｐ、もしくは他方側端部Ｑに取付けできる。そして、係止駒２ａ，２ｂにおける差込穴４の穴開口を有する側面とは反対側の側面には、図２（ｂ）に示すように、凸状をなす係止部８ａ，８ｂと凹状をなす被係止部９ａ，９ｂが、係止部８ａ，８ｂと被係止部９ａ，９ｂとを一組ずつ係止駒２ａ，２ｂ側面における略水平方向に間隔をあけて設けてある。
また本発明装身具では、一方側端部Ｐの係止駒２ａと他方側端部Ｑの係止駒２ｂについては、各々の係止部８ａ，８ｂと被係止部９ａ，９ｂとが凹凸に対峙するように組み合わせてある。
次に図３に示す自由駒３は、前記係止駒２ａ，２ｂと略同じ態様をなすものであるが、相違する構成として、差込孔１１が水平方向に貫通しており、板バネ体１の周方向の一方側端部Ｐもしくは他方側端部Ｑを挿通したときには、自由駒３が板バネ体１の周方向に沿って移動自在に取り付くようになっている。
また差込穴１１の穴開口１２ａ，１２ｂは、両側の穴開口１２ａ，１２ｂ共に奥側よりも拡がって形成してあり、係止駒２ａ，２ｂと同様に、板バネ体１の一方側端部Ｐもしくは他方側端部Ｑを差し込みやすく形成してある。
尚、本実施による係止駒２ａ，２ｂおよび自由駒３は、腕周りＨに対する当接面１３が凹状に緩やかに湾曲しており、本装身具を装着したときに腕にフィットするような意匠となっている。
【００１３】
本発明装身具の組立て手順を図４に示すもので、一個の板バネ体１と、この板バネ体１の一方側端部Ｐと他方側端部Ｑとに取付ける二個の係止駒２ａ，２ｂと、十一個の自由駒３とを用いて、ブレスレットを形成する実施形態について例示している。
まず第一手順として、板バネ体１の周方向の一方側端部Ｐに係止駒２ａの差込穴４に挿入し、板バネ体１の一方側端部Ｐの長孔１０ａと係止駒２ａのネジ穴６とを上下に一致させ、更に、係止駒２ａのネジ穴６および板バネ体１の長孔１０ａにネジ７ａを通して羅合する。第二手順として、自由駒３を板バネ体１の他方側端部Ｑから次々に挿入していく。そして、各自由駒３により板バネ体１の周方向の略全体を覆うようになれば、第三手順として、板バネ体１の他方側端部Ｑを残る一個の係止駒２ｂの差込穴４ｂに挿入し、板バネ体１の他方側端部Ｑの長孔１０ｂと係止駒２ａのネジ穴６とを上下に一致させ、更に、係止駒２ｂのネジ穴６および板バネ体１の長孔１０ｂにネジ７ｂを通して羅合する。以上、第一〜第三手順を経て本発明の装身具が完成することになる。
尚、本実施による装身具では、一方側端部Ｐに取付ける係止駒２ａと、他方側端部Ｑに係合する係止駒２ｂとは共通の部品を使用しており、部品点数の省略化により製造コストを安価にすることができる。
【００１４】
以上のように形成すると、図５（ａ）に示すように、板バネ体１の周方向の一方側端部Ｐに係合した係止駒２ａ、および他方側端部Ｑに係合した係止駒２ｂの各々は、図示に従って上下左右および前後の方向を定めると、板バネ体１の一方側端部Ｐおよび他方側端部Ｑの長孔１０ａ，１０ｂを中心とした上下方向への揺動、および長孔１０ａ，１０ｂの長手方向に沿って左右方向のスライドを自在に行うことができる。これにより、本装身具を腕周りＨに装着するときには、板バネ体１の弾性に逆らって一方側端部Ｐと他方側端部Ｑとの間を拡げて腕周りＨに嵌めることで、板バネ体１が弾性復帰して本装身具が腕周りＨに巻きつく（図１（ｂ）参照）が、この際、一方側端部Ｐに係合する係止駒２ａおよび他方側端部Ｑに係合する係止駒２ｂは、板バネ体１の弾性復帰に伴う付勢力によって係止部および被係止部側の側面同士が当接すると共に、各係止駒２ａ，２ｂの板バネ体１の一方側端部Ｐ、および他方側端部Ｑからの揺動・スライドにより、各係止駒２ａ，２ｂの当接する位置を微調整できる。
その結果、各係止駒２ａ，２ｂの係止部８ａ，８ａおよび被係止部９ｂ，９ｂが雄雌にしっかりと嵌り込むと共に、本装身具の装着後に腕周りＨの筋肉の動きによって板バネ体１に変形力が加わっても、各係止駒２ａ，２ｂが変形に対応して板バネ体１の一方側端部Ｐおよび他方側端部Ｑの各々から揺動・スライドするので、係止状態が維持される。しかも、本装身具を装着した後は、各係止駒２ａ，２ｂが揺動・スライドすること、および自由駒３が板バネ体１の周方向に自在に移動することから、本装身具を腕周りＨの全周に装着した状態にあっても、図５（ｂ）に示すように、腕周りＨの筋肉の動きに追従して係止駒２ａ，２ｂと自由駒３が各々独立して動くので、従来の装身具が有していた装着時の不快な拘束感を感じることがない。
【００１５】
図６（ａ）（ｂ）に示すものは、本発明の他の実施形態の装身具であり、最良形態の装身具と相違する構成として、板バネ体１の周方向の一方側端部Ｐと他方側端部Ｑの各々に、長孔１０ａ，１０ｂに変えて、リベット１４ａ，１４ｂの径と略同径の貫通孔（固定部）１３ａ，１３ｂを設けている。そして、この貫通孔１３ａ，１３ｂと係止駒２ａ，２ｂのリベット穴１６とを上下に位置あわせし、リベット１４ａ，１４ｂを打ち込むことにより、板バネ体１の周方向の一方側端部Ｐに取付けた係止駒２ａと、他方側端部Ｑに取付けた係止駒２ｂの各々を移動不能に可占めたものである。このように形成しても、自由駒３が板バネ体１の周方向に移動自在に取付けてあることから、本装身具を腕周りＨに装着したときには、腕周りＨの筋肉の多彩な動きに追従して各自由駒３が個々に独立して動くので、最良の形態の装身具と同様に快適な装着感を得られることになる。
【００１６】
本発明装身具は、腕周りＨに装着するブレスレットに限るものではなく、例えばアンクレットやカチューシャ等においても適用が想定される。また、係止駒２ａ，２ｂや自由駒３の意匠面についても、本実施形態ではブロック状のものを例に挙げたが、例えば面取り状のものや、丸形、或いは多角形等、装着に際して動きを規制するものや、或いは不快感を与えるものでなければ自由に適用することができる。更に係止駒２ａ，２ｂは、前述した各実施形態のような係止部８ａ，８ｂと被係止部９ａ，９ｂとにより係止するもの以外に、板バネ体１の弾性によってのみ被装着箇所に装着するものであってもよい。また各係止駒２ａ，２ｂと板バネ体１とは、一方の係止駒２ａ，２ｂを板バネ体１の端部Ｐ，Ｑから揺動・スライドするように係合し、他方をリベトで加締めるものであってもよい。
【図面の簡単な説明】
【００１７】
【図１】本発明装身具の最良形態における装着直前の状態を示す断面図（ａ）と、装着状態を示す断面図（ｂ）である。
【図２】本発明の装身具を構成する係止駒の断面図（ａ）と、突合せ側の端面図（ｂ）である。
【図３】本発明の装身具を構成する自由駒の断面図である。
【図４】本発明装身具の組立て手順を示す断面図（ａ）と、そのＡ部拡大断面図（ｂ）である。
【図５】板バネ体の周方向の一方側端部に係合した係止駒と、他方側端部に係合した係止駒の動きを示す平面図（ａ）と、本装身具装着後の係止駒と自由駒の動きを説明する平面図（ｂ）である。
【図６】本発明装身具の他の実施例における装着前の状態を示す断面図（ａ）と、そのＢ部拡大断面図（ｂ）である。
【符号の説明】
【００１８】
１  板バネ体
２ａ  一方側端部の係止駒
２ｂ  他方側端部の係止駒
３  自由駒
７ａ，７ｂ  ネジ（係合部）
８ａ，８ｂ  係止部
９ａ，９ｂ  被係止部
１０ａ，１０ｂ  長孔（ガイド部）
１３ａ，１３ｂ  貫通孔（固定部）
１４ａ，１４ｂ  リベット（係合部）
Ｈ  腕周り（被装着箇所）
Ｐ  一方側端部（両端部）
Ｑ  他方側端部（両端部）
【図１】
2008167789.tif 000003
【図２】
2008167789.tif 000004
【図３】
2008167789.tif 000005
【図４】
2008167789.tif 000006
【図５】
2008167789.tif 000007
【図６】
2008167789.tif 000008